(57)【要約】【課題】洗い場床からの水と浴槽からの排水とによる旋回流が発生し易い浴室排水装置を提供する。【解決手段】浴室排水装置１１０は、水を通流させるヘアキャッチャー１００を備える。ヘアキャッチャー１００の上縁部１０から流入した水が内側において一方向に旋回するように規制する水流規制部としての立壁部等を備え、ヘアキャッチャー１００の外側から内側へ流入する外部水流が、内側において前記一方向と同じ方向に旋回する。【選択図】図１
2020165159.tif 000002
【特許請求の範囲】
【請求項１】
水を通流させるヘアキャッチャーを備える浴室排水装置において、
前記ヘアキャッチャーの上縁部から流入した水が内側において一方向に旋回するように規制する水流規制部を備え、
前記ヘアキャッチャーの外側から前記内側へ流入する外部水流が、前記内側において前記一方向と同じ方向に旋回することを特徴とする浴室排水装置。
【請求項２】
前記水流規制部は、前記上縁部から立ち上がり、前記一方向への水流を形成する立壁部であることを特徴とする請求項１に記載の浴室排水装置。
【請求項３】
前記水流規制部は、前記ヘアキャッチャーにおける水を通流させる水切り部に設けられていることを特徴とする請求項１に記載の浴室排水装置。
【請求項４】
前記外部水流は、浴槽排水によって形成され、前記ヘアキャッチャーの外面における接線方向に流れることを特徴とする請求項１から３のいずれか１項に記載の浴室排水装置。
【発明の詳細な説明】
【技術分野】
【０００１】
本発明は、例えば浴室における洗い場床に配設される浴室排水装置に関する。
【背景技術】
【０００２】
浴室の洗い場床や洗面台等の排水口には、髪の毛はゴミなどで排水管が詰まることを防ぐためにヘアキャッチャーが設けられている。例えば、特許文献１には、流入した排水を保水する凹状の保水部と、保水部の上部から延出し、排水中の髪の毛の流出を抑止しながら保水部に入りきらない排水を流出させる上部排水流出部と、洗い場床からの排水を保水部へ導く排水導入部とを備えるヘアキャッチャーが開示されている。
【先行技術文献】
【特許文献】
【０００３】
【特許文献１】特開２０１１−１６３１１６号公報
【発明の概要】
【発明が解決しようとする課題】
【０００４】
特許文献１に記載のヘアキャッチャーは、保水部で髪の毛をまとめることで除去し易くしたものであるが、洗い場床からの水と浴槽からの排水とを用いることについては検討されていなかった。
【０００５】
本発明は、斯かる事情に鑑みてなされたものであり、その目的とするところは、洗い場床からの水と浴槽からの排水とによる旋回流が発生し易い浴室排水装置を提供することにある。
【課題を解決するための手段】
【０００６】
本発明に係る浴室排水装置は、水を通流させるヘアキャッチャーを備える浴室排水装置において、前記ヘアキャッチャーの上縁部から流入した水が内側において一方向に旋回するように規制する水流規制部を備え、前記ヘアキャッチャーの外側から前記内側へ流入する外部水流が、前記内側において前記一方向と同じ方向に旋回することを特徴とする。
【発明の効果】
【０００７】
本発明によれば、洗い場床からの水と浴槽からの排水とによる旋回流が発生し易い。
【図面の簡単な説明】
【０００８】
【図１】実施形態１に係る浴室排水装置の構成を示す模式図である。
【図２】排水部の平面図である。
【図３】ヘヤキャッチャー部分の側面図である。
【図４】ヘアキャッチャーの外観を示す斜視図である。
【図５】ヘアキャッチャーの平面図である。
【図６】図３に示すＡ−Ａ線による水切り部の一部を示す断面図である。
【図７】実施形態２に係るヘアキャッチャーの外観を示す斜視図である。
【図８】ヘアキャッチャーの平面図である。
【図９】ヘアキャッチャーの下方から見た斜視図である。
【図１０】ヘアキャッチャーにおける水の流れを説明するための模式図である。
【図１１】図６に示した断面に相当する水切り部の一部を示す断面図である。
【図１２】変形例に係るヘアキャッチャーの平面図である。
【発明を実施するための形態】
【０００９】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態１）
図１、図２、図３を参照する。図３において、洗い場床８、フランジ部８０および蓋体８２は断面で表されている。浴室排水装置１１０は、ヘアキャッチャー１００を排水部９０に取り付けて構成される。浴室排水装置１１０では、洗い場床８からの水は、ヘアキャッチャー１００の上側から水切り部１の内側に流れ込み、浴槽（図示略）からの排水（以下、浴槽排水という。）の一部がヘアキャッチャー１００の外側に外部水流を形成する仕組みとなっている。
【００１１】
フランジ部８０は、洗い場床８に設けられた孔部に上方から挿入し、排水部９０に螺合させることで、洗い場床８の下方に排水部９０を取り付ける。フランジ部８０における排水口８１には爪８１ａが設けられている。ヘアキャッチャー１００は、係止部１０ａを爪８１ａに係止させて取り付けられ、上方を蓋体８２で覆われる。洗い場床８からの水は、ヘアキャッチャー１００を通過した後、排水部９０の封水部９１の内部を通って排出口９５から排出される。
【００１２】
浴槽排水は、分岐部９２において排水口８１側への分岐流路９３とバイパス流路９４とに分けられて通流する。分岐流路９３へ通流した浴槽排水は、導入口９３ａから排水口８１へ流れ込み、排水口８１内でヘアキャッチャー１００の外側において旋回する外部水流を形成する。図２に示す矢印のように、排水部９０は、上方から見て時計まわりの外部水流を排水口８１内に形成する。浴槽排水の流入によって排水口８１の水位が上昇し、ヘアキャッチャー１００が旋回流に浸漬され、ヘアキャッチャー１００内の髪の毛等がヘアキャッチャー１００の内側中央に集められる。バイパス流路９４へ通流した浴槽排水は、合流口９４ａを通って洗い場床８側からの排水に合流し、排出口９５から排出される。尚、排水部９０については、公知の技術、例えば特許第５８１７５６７号公報等に記載された技術を用いることができる。
【００１３】
図４を参照する。ヘアキャッチャー１００は、水切り部１および立壁部５を備える。水切り部１は、上縁部１０、リブ構造３、通流孔４および貯水部２を有し、椀状に形成されている。水切り部１は、例えば皿状および深皿状等に形成されていてもよく、全体として円柱状、錐台状または半球状などの様々な形状とすることができる。
【００１４】
上縁部１０は円環状であり、リブ構造３によって貯水部２と接続される。洗い場床８からの水は上縁部１０を通って水切り部１の内側に流れ込む。リブ構造３は、複数の縦リブ３１および複数の横リブ３２を有し、上縁部１０と貯水部２とを接続する。縦リブ３１は貯水部２から上縁部１０へ放射状に延びており、上縁部１０から水切り部１の中央へ向かうにつれて下降する勾配を有している。縦リブ３１の勾配は、一定であっても変化してもよい。
【００１５】
図５を参照する。横リブ３２は、複数の縦リブ３１を周方向につなぐ円環状であり、貯水部２側から上方へ向かうにつれて内径が大きくなる。隣り合う縦リブ３１および隣り合う横リブ３２の間に通流孔４が形成されている。
【００１６】
通流孔４は、水切り部１の内外を貫通するように設けられている。通流孔４には、水切り部１の内側における開口部４１の一部を覆うように排水抵抗部４２が形成されている。排水抵抗部４２は、開口部４１の縦リブ３１における縁部４１ａよりも、周方向において通流孔４の中央へ張り出すように設けられている。また、排水抵抗部４２は、通流孔４内に臨み、外部水流を水切り部１の内側に誘導する外部水流誘導面４２ａを有する。
【００１７】
排水抵抗部４２は、上縁部１０と貯水部２との間に形成される通流孔４の全てに設けられている。例えば、排水抵抗部４２は、上縁部１０に連なる上部に形成される通流孔４に設けられ、貯水部２側に近い通流孔４には設けないような構成としてもよい。また排水抵抗部４２は、水切り部１において設けられていなくてもよい。
【００１８】
貯水部２は、底部２０、水抜き孔２１および側面部２２を有し、椀状に形成されている。貯水部２は、例えば皿状および深皿状等に形成されていてもよく、全体として円柱状、錐台状または半球状などの様々な形状とすることができる。水抜き孔２１は、貯水部２における側面部２２の下端部に横方向に内外を貫通するように設けられている。
【００１９】
立壁部５は、上縁部１０から立ち上がるように円弧状に形成されており、２つの回転対象な第１立壁部５０および第２立壁部５５で構成されている。第１立壁部５０の導入端部５１および第２立壁部の終端部５７は、間隔を空けて対向しており、両者間に洗い場床８からの導水路が形成される。同様に、第２立壁部５５の導入端部５６および第１立壁部の終端部５２は、間隔を空けて対向しており、両者の間に洗い場床８からの導水路が形成される。
【００２０】
立壁部５における導入端部５１および５６は、水切り部１の内側へ延びるように設けられている。導入端部５１および５６は、水切り部１の下方向に向かうにつれて、周方向の一側へ延びるように傾斜している。導入端部５１および５６は、水切り部１の下方向に向かうにつれて、上方から見て時計まわりの方向へ延びるように傾斜している。
【００２１】
立壁部５における導入端部５１と終端部５７との間において、上縁部１０から貯水部２へ延びる導水面６が形成されている。また同様に導入端部５６と終端部５２との間において、上縁部１０から貯水部２へ延びる導水面６が形成されている。導水面６は、下方向に向かうにつれて、周方向の一側へ延びるように傾斜している。導水面６は、導入端部５１および５６と同様に、水切り部１の下方向に向かうにつれて、上方から見て時計まわり方向へ延びるように傾斜している。尚、図５に示す水切り部１では導水面６に通流孔４を設けられていないが、疎らに通流孔４を設けるようにしてもよい。
【００２２】
次に実施形態１に係る浴室排水装置１１０の動作について説明する。ヘアキャッチャー１００の上縁部１０から水切り部１の上部に流れ込んだ水は、導水面６に沿ってヘアキャッチャー１００の内側を流下し、図５に矢印で示すように旋回流を発生する。水切り部１の内側を流下する水は、その一部が図５に矢印Ｑ１で示すように通流孔４を通して水切り部１の外側に排水される。水切り部１の内側を流下する水は、通流孔４に設けられた排水抵抗部４２によって排水が制限されるため、矢印Ｑ２で示すように水切り部１の内側に留まって流下することで、旋回流が発生し易くなる。
【００２３】
排水抵抗部４２は、通流孔４の開口部４１のうち、水が流れ込む方向の先にある縦リブ３１における縁部４１ａの側において、周方向に通流孔４の中央へ張り出すように設けられている。このため、水切り部１の内側を流下する水が排水抵抗部４２に当たって水切り部１の内側に戻され易くなる。
【００２４】
立壁部５は、導入端部５１および終端部５７の間の導入路、並びに、導入端部５６および終端部５２の間の導入路を通して、洗い場床８からの水を水切り部１の内側へ導入する。導入端部５１および５６は、水切り部１の内面に沿う下方向に向かうにつれて、上方から見て時計まわりの方向へ延びるように傾斜していることで、時計まわりの旋回流の発生を促進する。
【００２５】
ヘアキャッチャー１００は、水切り部１の内側において旋回流がより発生し易くなることで、髪の毛等を貯水部２にまとめる効果が高まり、清掃が容易になる。貯水部２には、水抜き孔２１が設けられている。旋回流発生時には水の一部が水抜き孔２１から抜けつつも貯水部２に水が貯まった状態となり、水の流れ込みが止んだ後、貯水部２に貯まった水が時間経過とともに水抜き孔２１から排水される。
【００２６】
図６を参照する。排水抵抗部４２の外部水流誘導面４２ａは、縦リブ３１における開口部４１の縁部４１ａから、水切り部１の外面１５に対して傾斜する。外部水流誘導面４２ａは、水切り部１の内側から外側に向かうにつれて外部水流の上流側へ延びるように傾斜する面として形成されている。図６に矢印で示すように、水切り部１の外側を流れる外部水流は、上方から見て時計まわりに流れており、排水抵抗部４２の外部水流誘導面４２ａによって向きを変え、通流孔４を通って水切り部１の外側から内側へ流れ込む。外部水流が通流孔４を通って水切り部１の外側から内側へ流れることで、縦リブ３１や横リブ３２等に付着した髪の毛を浮かし、水切り部１の底部２０へと流下させることができる。尚、外部水流誘導面４２ａが設けられていない場合でも、浴槽排水の流入によって排水口８１の水位が上昇することで、ヘアキャッチャー１００が外部水流による旋回流に浸漬される。
【００２７】
水切り部１の内側に流れ込んだ外部水流は、水切り部１の内側において、上方から見て時計まわりの旋回流を発生する。上述のとおり、ヘアキャッチャー１００の上縁部１０から流れ込んだ水も時計まわりの旋回流を発生させており、外部水流によって水切り部１の内側に発生している時計まわりの旋回流と、旋回方向が同じであるため、互いに妨げとならず、旋回流が発生し易くなる。また、外部水流をヘアキャッチャー１００の外面１５の周方向における接線方向に流れるようにすることで、外部水流によって水切り部１の内側に旋回流が発生し易くなる。
【００２８】
（実施形態２）
図７、図８を参照する。実施形態１と同様に、実施形態２に係るヘアキャッチャー１００は、フランジ部８０における排水口８１に取り付けられる。水切り部１は、上縁部１０、底部２０、リブ構造３および通流孔４を有する。
【００２９】
上縁部１０は円環状であり、リブ構造３によって底部２０と接続される。洗い場床８からの水は上縁部１０を通って水切り部１の内側に流れ込む。底部２０は凹状であり、上下に貫通する複数の水抜き孔２１を有する。リブ構造３は、複数の縦リブ３１および複数の横リブ３２によって構成されている。縦リブ３１は、上下方向に延びて上縁部１０と底部２０とを連結している。
【００３０】
縦リブ３１は、水切り部１の内面に沿う下方向に向かうにつれて、周方向の一側へ延びるように傾斜している。周方向の一側は、上方から見て時計まわりの方向である。横リブ３２は、複数の縦リブ３１を周方向につなぐ円環状であり、底部２０側から上方へ向かうにつれて内径が大きくなる。隣り合う縦リブ３１および隣り合う横リブ３２の間に通流孔４が形成されている。
【００３１】
通流孔４には、水切り部１の内側における開口部４１の一部を覆うように板状の排水抵抗部４２が設けられている。排水抵抗部４２は、開口部４１の縦リブ３１における縁部４１ａよりも、周方向において通流孔４の中央へ張り出すように設けられている。また、排水抵抗部４２は、通流孔４内に臨み、外部水流を水切り部１の内側に誘導する外部水流誘導面４２ａを有する。
【００３２】
図８に示す例では、排水抵抗部４２が、上縁部１０と底部２０との間に形成される通流孔４の全てに設けられている。例えば、排水抵抗部４２は、上縁部１０に連なる上部に形成される通流孔４に設けられ、底部２０側に近い通流孔４には設けないような構成としてもよい。また排水抵抗部４２は、水切り部１において設けられていなくてもよい。
【００３３】
図９を参照する。排水抵抗部４２における外部水流誘導面４２ａは、水切り部１の外面１５に対して傾斜して外面１５から突出するように形成されている。水切り部１の外側を流れる水は、外部水流誘導面４２ａに当たって水切り部１の内側へと誘導される。
【００３４】
立壁部５における導入端部５１および５６は、それぞれ１の縦リブ３１に沿って水切り部１の内側へ延びるように設けられている（図８参照）。上述のように、縦リブ３１が水切り部１の内面に沿う下方向に向かうにつれて周方向の一側へ延びるように傾斜しているため、導入端部５１および５６も、水切り部１の内面に沿う下方向に向かうにつれて周方向の一側、即ち上方から見て時計まわりの方向へ延びるように傾斜している。図７などに示すヘアキャッチャー１００では旋回流をより確実に形成させるべく立壁部５を設けているが、立壁部５を設けない場合であっても、縦リブ３１および通流孔４の排水抵抗部４２によって旋回流を発生させることができる。
【００３５】
次に実施形態２に係るヘアキャッチャー１００の動作について説明する。図１０を参照する。図１０はヘアキャッチャー１００の平面図に相当している。水切り部１に対して、立壁部５やその他の手段によって旋回方向Ｘの旋回流がヘアキャッチャー１００に流れ込む。上縁部１０から水切り部１の上部に流れ込んだ水は、縦リブ３１に沿ってヘアキャッチャー１００の内側を流下し、図１０に矢印で示すように旋回流を発生する。旋回流は、上方から見て時計まわりに生じる。水切り部１の内側を流下する水は、その一部が図６に矢印Ｐ１で示すように通流孔４を通して水切り部１の外側に排水される。水切り部１では、旋回流の旋回方向Ｘに対して、縦リブ３１、通流孔４の孔部分、排水抵抗部４２の順に並んでいる。排水抵抗部４２の外部水流誘導面４２ａは、旋回流に対向し、上り勾配となっている。このため、排水抵抗部４２の外部水流誘導面４２ａの面上を通過する水流が水切り部１の内側に戻される効果がある。水切り部１の内側を流下する水は、通流孔４に設けられた排水抵抗部４２によって排水が制限されるため、矢印Ｐ２で示すように水切り部１の内側に留まって流下することで、旋回流が発生し易くなる。
【００３６】
排水抵抗部４２は、縦リブ３１における縁部４１ａに対して、周方向に通流孔４の中央へ張り出すように設けられている。排水抵抗部４２が設けられていることで、縦リブ３１に沿って流れる水と、縦リブ３１の周方向における側方であって通流孔４における排水抵抗部４２上を流れる水の一部とが水切り部１の内側に留まり、より多くの水を底部２０へ到達させることができる。
【００３７】
また排水抵抗部４２は、通流孔４の開口部４１のうち、水が流れ込む方向の先にある縦リブ３１における縁部４１ａの側において、周方向に通流孔４の中央へ張り出すように設けられている。図１０に示すヘアキャッチャー１００では、時計まわりに水が流れ込んでおり、開口部４１の中央から見て時計まわりの先にある縦リブ３１における縁部４１ａの側に排水抵抗部４２が形成されている。これにより、水切り部１の内側を流下する水が排水抵抗部４２に当たって水切り部１の内側に戻され易くなる。
【００３８】
排水抵抗部４２は、少なくとも水切り部１の上部に位置する通流孔４に設けることで、下方への水の到達を促進することができる。また、水切り部１の上部から底部２０に亘って通流孔４に排水抵抗部４２を設けることで、より多くの水を水切り部１の底部２０へ到達させることができる。
【００３９】
排水抵抗部４２は、水切り部１の上部において全周に亘って通流孔４に設けられていることで、流量が大きい場合でも旋回流をより確実に発生させることができる。また、立壁部５が設けられていない場合、上縁部１０の水切り部１の上部において全周に亘って通流孔４に排水抵抗部４２を設けることで、上縁部１０における全周のどの箇所から水が流れ込んできても、底部２０への水の到達を促進することができる。
【００４０】
立壁部５は、導入端部５１および終端部５７の間の導入路、並びに、導入端部５６および終端部５２の間の導入路を通して、洗い場床８からの水を水切り部１の内側へ導入する。導入端部５１および５６は、水切り部１の内面に沿う下方向に向かうにつれて周方向の一側、即ち上方から見て時計まわりの方向へ延びるように傾斜していることで、旋回流の発生を促進する。
【００４１】
ヘアキャッチャー１００は、水切り部１の内側において旋回流がより発生し易くなることで、髪の毛等を底部２０にまとめる効果が高まり、清掃が容易になる。水切り部１の底部２０には、水抜き孔２１が設けられており、底部２０において水が溜まることなく排水される。
【００４２】
図１１を参照する。排水抵抗部４２の外部水流誘導面４２ａは、縦リブ３１における開口部４１の縁部４１ａから、水切り部１の外面１５に対して傾斜して、水切り部１４の外側へ延びている。外部水流誘導面４２ａは、水切り部１の内側から外側に向かうにつれて外部水流の上流側へ延びるように傾斜する面として形成されている。図１１に矢印で示すように、水切り部１の外側を流れる外部水流は、上方から見て時計まわりに流れており、排水抵抗部４２の外部水流誘導面４２ａに当たって向きを変え、通流孔４を通って水切り部１の外側から内側へ流れ込む。外部水流が通流孔４を通って水切り部１の外側から内側へ引き込まれ、水切り部１における縦リブ３１や横リブ３２等に付着した髪の毛を浮かし、水切り部１の底部２０へと流下させることができる。尚、外部水流誘導面４２ａが設けられていない場合でも、浴槽排水の流入によって排水口８１の水位が上昇することで、ヘアキャッチャー１００が外部水流による旋回流に浸漬される。
【００４３】
水切り部１の内側に流れ込んだ外部水流は、水切り部１の内側において、上方から見て時計まわりの旋回流を発生する。上述のとおり、ヘアキャッチャー１００の上縁部１０から流れ込んだ水も時計まわりの旋回流を発生させており、外部水流によって水切り部１の内側に発生している時計まわりの旋回流と、旋回方向が同じであるため、互いに妨げとならず、旋回流が発生し易くなる。
【００４４】
（変形例）
図１２を参照する。この変形例に係るヘアキャッチャー１００は、図５に示すヘアキャッチャー１００における導水面６が形成されておらず、通流孔４が全周に亘って設けられているものである。この場合にも、立壁部５の導入端部５１および５６によって、上縁部１０から水切り部１の内側に流れ込む水が上方から見て時計まわりの旋回流を発生させる。ヘアキャッチャー１００の上縁部１０から流れ込んだ水による旋回流と、外部水流によって水切り部１の内側に発生している時計まわりの旋回流とが同じ時計まわりの方向であるため、互いに妨げとならない。
【００４５】
上述の各実施形態および変形例では、ヘアキャッチャー１００に立壁部５を設ける構成としている。ヘアキャッチャー１００に立壁部５を設けず、洗い場床８、フランジ部８０および蓋体８２等に、立壁部５のように上縁部１０から流入した水が水切り部１の内側で一方向に旋回するように規制する部分を設けるようにしてもよい。
【００４６】
また、上述の各実施形態および変形例では、上方から見て時計まわりに旋回流が発生する例を示したが、上方から見て反時計まわりに旋回流が発生するように構成してもよい。また、外部水流誘導面４２ａが設けられていない場合であっても、外部水流によって水切り部１の内側に旋回流を発生させることができ、この場合も本発明の範囲に含まれる。
【００４７】
次に、各実施形態および変形例の浴室排水装置１１０の特徴を説明する。
本発明の各実施形態および変形例の浴室排水装置１１０は、水を通流させるヘアキャッチャー１００を備える。ヘアキャッチャー１００の上縁部１０から流入した水が内側において一方向に旋回するように規制する水流規制部としての立壁部５等を備え、ヘアキャッチャー１００の外側から内側へ流入する外部水流が、内側において前記一方向と同じ方向に旋回する。これにより、浴室排水装置１１０は、洗い場床からの水と浴槽からの排水とによる旋回流を発生し易くなる。
【００４８】
水流規制部は、上縁部１０から立ち上がり、前記一方向への水流を形成する立壁部５である。これにより、浴室排水装置１１０は、ヘアキャッチャー１００の上縁部１０から流れ込む水で旋回流を発生させることができる。
【００４９】
水流規制部は、ヘアキャッチャー１００における水を通流させる水切り部１に設けられている。水流規制部は、例えば実施形態１における縦リブ３１、実施形態２における導水面６等である。これにより、浴室排水装置１１０は、ヘアキャッチャー１００の水切り部１において旋回流を発生させることができる。
【００５０】
外部水流は、浴槽排水によって形成され、ヘアキャッチャー１００の外面における接線方向に流れる。これにより、浴室排水装置１１０は、外部水流によって水切り部１の内側に旋回流が発生し易くなる。
【００５１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５２】
１  水切り部、  １０  上縁部、  １５  外面、  ３２  縦リブ（水流規制部）、
５  立壁部（水流規制部）、  ６  導水面、
１００  ヘアキャッチャー、  １１０  浴室排水装置。
【図１】
2020165159.tif 000003
【図２】
2020165159.tif 000004
【図３】
2020165159.tif 000005
【図４】
2020165159.tif 000006
【図５】
2020165159.tif 000007
【図６】
2020165159.tif 000008
【図７】
2020165159.tif 000009
【図８】
2020165159.tif 000010
【図９】
2020165159.tif 000011
【図１０】
2020165159.tif 000012
【図１１】
2020165159.tif 000013
【図１２】
2020165159.tif 000014